(57)【要約】【課題】大径ワイヤのばたつきを効果的に防止することができるとともに、従来のアングルと比較して容易に施工することが可能であり、緑化した壁面の見栄えを良好とすることができるワイヤ配設用金具を提供する。【解決手段】複数本のワイヤを壁面に配設するためのワイヤ配設用金具１であって、壁面に固定される基部１０と、基部１０に立設されたワイヤ保持部２０と、ワイヤ保持部２０に所定間隔をあけて設けられた一対の環状体であり、壁面の一方向に配設される第１ワイヤ４１が挿通されるワイヤ挿通環２１と、ワイヤ保持部２０における各ワイヤ挿通環２１の間に設けられ、第１ワイヤ４１と交差する方向に配設される第２ワイヤ４２が挿通されるワイヤ挿通孔２２とを備え、ワイヤ挿通環２１に挿通された第１ワイヤ４１と、ワイヤ挿通孔２２に挿通された第２ワイヤ４２とを交差状態で保持することが可能な構成としてある。【選択図】図１
2010090578.tif 000002
【特許請求の範囲】
【請求項１】
複数本のワイヤを壁面に配設するためのワイヤ配設用金具であって、
前記壁面に直接又は間接的に固定される基部と、
前記基部に立設されたワイヤ保持部と、
前記ワイヤ保持部に所定間隔をあけて設けられた一対の環状体であり、前記壁面の一方向に配設される第１ワイヤが挿通されるワイヤ挿通環と、
前記ワイヤ保持部における各ワイヤ挿通環の間に設けられ、前記第１ワイヤと交差する方向に配設される第２ワイヤが挿通されるワイヤ挿通孔とを備え、
前記ワイヤ挿通環に挿通された前記第１ワイヤと、前記ワイヤ挿通孔に挿通された前記第２ワイヤとを交差状態で保持することが可能なことを特徴とするワイヤ配設用金具。
【請求項２】
前記基部及び前記ワイヤ保持部を共に金属製プレートとするとともに、前記ワイヤ挿通環を金属製棒材からなる環状体とし、
前記ワイヤ保持部に所定間隔をあけて一対の取付孔を設け、各取付孔に前記ワイヤ挿通環をそれぞれ回動可能に取り付け、前記ワイヤ保持部における各取付孔の間に、前記ワイヤ挿通孔を設けたことを特徴とする請求項１記載のワイヤ配設用金具。
【請求項３】
請求項１又は２記載のワイヤ配設用金具を用いた壁面緑化装置であって、
前記壁面に直接又は間接的に複数の前記ワイヤ配設用金具を所定間隔をあけて固定し、
各ワイヤ配設用金具の前記ワイヤ挿通環に前記第１ワイヤを挿通し、複数本の前記第１ワイヤを前記壁面の縦又は横方向に配設し、
各ワイヤ配設用金具の前記ワイヤ挿通孔に前記第２ワイヤを挿通し、複数本の前記第２ワイヤを前記壁面の横又は縦方向に配設し、
前記第１及び第２ワイヤに植物を定着させるための育成ネットを取り付け、
前記植物を植えたプランター部を配設した
ことを特徴とする壁面緑化装置。
【請求項４】
請求項１又は２記載のワイヤ配設用金具を用いた壁面緑化方法であって、
前記壁面に直接又は間接的に複数の前記ワイヤ配設用金具を所定間隔をあけて固定する工程と、
各ワイヤ配設用金具のワイヤ挿通環に前記第１ワイヤを挿通し、複数本の前記第１ワイヤを前記壁面の縦又は横方向に配設する工程と、
各ワイヤ配設用金具の前記ワイヤ挿通孔に前記第２ワイヤを挿通し、複数本の前記第２ワイヤを前記壁面の横又は縦方向に配設する工程と、
前記第１及び第２ワイヤに植物を定着させるための育成ネットを取り付ける工程と、
前記植物を植えたプランター部を配設する工程と、
を含むことを特徴とする壁面緑化方法。
【発明の詳細な説明】
【技術分野】
【０００１】
本発明は、学校、病院、工場、倉庫、駐車場などの建築物の壁面、道路や宅地造成などに伴って形成される法面等の緑化に用いられるワイヤ配設用金具、これを用いた壁面緑化装置及び壁面緑化方法に関し、特に、大径ワイヤのばたつきを効果的に防止することができるとともに、従来のアングルと比較して、容易に施工することが可能であり、緑化した壁面の見栄えを良好とすることができるワイヤ配設用金具、これを用いた壁面緑化装置及び壁面緑化方法に関する。
【背景技術】
【０００２】
近年、学校、病院、工場、倉庫、駐車場などの建築物の壁面を植物で緑化し、夏季における壁面の表面温度を低下させて冷房負荷の低減を図り、省エネルギーや地球温暖化防止に寄与することが推進されている。そして、従来から建物の壁面を植物で覆って緑化する種々の装置が提案されている。
【０００３】
例えば、特開２００２−９５３４７号公報（特許文献１）、特開平７−５９４６７号公報（特許文献２）では、緑化対象となる壁面に角型又はＬ型等のアングル材からなるフレーム枠を縦横格子状に組み、このフレーム枠内に区画された空間に培土や植生マットを収納して植物を育成させる構成の壁面緑化装置が提案されている。
【０００４】
また、特開２００７−２０２４７３号公報（特許文献３）、特開２００６−３６号公報（特許文献４）では、緑化対象となる壁面に多数の小径ワイヤを縦横メッシュ状又はネット状に配設し、壁面の上方又は下方に設置したプランターで育成した蔓植物を小径ワイヤに直接絡ませる構成の壁面緑化装置が提案されている。
【０００５】
さらに、特開２００２−２７２２７４号公報（特許文献５）では、例えば、ＰＣ鋼線などの強度の高い線状部材を縦横方向に組んだ格子状支持材にプランター等の各種部材を保持させ、格子状支持材の上下両端部を緑化する建物に固定した構成の壁面緑化装置が提案されている。
【特許文献１】特開２００２−９５３４７号公報
【特許文献２】特開平７−５９４６７号公報
【特許文献３】特開２００７−２０２４７３号公報
【特許文献４】特開２００６−３６号公報
【特許文献５】特開２００２−２７２２７４号公報
【特許文献６】特開２００４−３４６９８４号公報
【特許文献７】特開２００３−１９４１５３号公報
【特許文献８】特開２００１−３２３９０５号公報
【発明の開示】
【発明が解決しようとする課題】
【０００６】
ところが、上述したフレーム枠を格子状に組んで植物を育成する壁面緑化装置（特許文献１，２）では、多数のアングル材を縦横格子状に連結させてフレーム枠を組む作業、フレーム枠を支えるための基礎工事、壁面にアンカーボルトを打ち込んでフレーム枠を固定する作業など、施工に多大な手間と時間を要するという問題があった。また、角型又はＬ型のフレーム枠は、一辺が数ｃｍ〜数１０ｃｍ程度の幅を有するため、植物に覆われることなく外部に露出してしまい、緑化した壁面の見栄えを悪くするという問題もあった。
【０００７】
一方、上述した多数の小径ワイヤを縦横メッシュ状又はネット状に配設して植物を直接絡ませる壁面緑化装置（特許文献３，４）では、フレーム枠を施工するほどの大掛かりな作業は必要ないが、広面積の壁面を植物で覆う場合には、網目を密にするために多数の小径ワイヤをネット状に配設する手間が掛かるほか、小径ワイヤの端部及び交差部を固定するための多数の金具（特許文献４の図４参照）を壁面に打設する手間が掛かるという問題があった。また、小径ワイヤにプランター等の重量物を保持させることができないという構造上の制限もあった。
【０００８】
さらに、高強度の線状部材を組んだ格子状支持材を用いた壁面緑化装置（特許文献５）では、格子状支持材にプランター等の重量物を保持させることができ、構造上の制限は特にないが、線状部材の端部や交差部を固定するための手段が開示されておらず、格子状支持材が強風でばたついてしまうという問題があった。
【０００９】
ここで、２本のワイヤを交差状態で壁面に固定するための金具としては、上述した引用文献４のほか、例えば、特開２００４−３４６９８４号公報（特許文献６）、特開２００３−１９４１５３号公報（特許文献７）、特開２００１−３２３９０５号公報（特許文献８）に開示されているものがあるが、いずれも小径ワイヤを固定するためのものであり、引用文献５のような、フレーム枠に代わる強度を備えた大径のワイヤを交差状態で強固に壁面に固定することはできない。
【００１０】
本発明は、上記問題点に鑑みてなされたものであり、大径ワイヤのばたつきを効果的に防止することができるとともに、従来のアングルと比較して容易に施工することが可能であり、緑化した壁面の見栄えを良好とすることができるワイヤ配設用金具、これを用いた壁面緑化装置及び壁面緑化方法の提供を目的とする。
【課題を解決するための手段】
【００１１】
上記目的を達成するために、本発明のワイヤ配設用金具は、複数本のワイヤを壁面に配設するためのワイヤ配設用金具であって、前記壁面に直接又は間接的に固定される基部と、前記基部に立設されたワイヤ保持部と、前記ワイヤ保持部に所定間隔をあけて設けられた一対の環状体であり、前記壁面の一方向に配設される第１ワイヤが挿通されるワイヤ挿通環と、前記ワイヤ保持部における各ワイヤ挿通環の間に設けられ、前記第１ワイヤと交差する方向に配設される第２ワイヤが挿通されるワイヤ挿通孔とを備え、前記ワイヤ挿通環に挿通された前記第１ワイヤと、前記ワイヤ挿通孔に挿通された前記第２ワイヤとを交差状態で保持することが可能な構成としてある。
【００１２】
好ましくは、上述した本発明のワイヤ配設用金具において、前記基部及び前記ワイヤ保持部を共に金属製プレートとするとともに、前記ワイヤ挿通環を金属製棒材からなる環状体とし、前記ワイヤ保持部に所定間隔をあけて一対の取付孔を設け、各取付孔に前記ワイヤ挿通環をそれぞれ回動可能に取り付け、前記ワイヤ保持部における各取付孔の間に、前記ワイヤ挿通孔を設けた構成とする。
【００１３】
このような本発明のワイヤ配設用金具によれば、２本の大径ワイヤを互いに交差した状態で安定して保持することが可能となり、壁面に配設された複数本の大径ワイヤ全体のばたつきを効果的に防止することができる。この結果、複数本の大径ワイヤを用いて広面積の壁面緑化を図ることが可能となる。
【００１４】
特に、基部及びワイヤ保持部を共に金属製プレートとし、ワイヤ挿通環を金属製棒材とした場合は、本ワイヤ配設用金具が簡単かつ頑丈な構造となり、複数本の大径ワイヤを緊張状態で配設した場合のテンションに十分耐え得る強度を確保することができる。また、各ワイヤ挿通環とワイヤ挿通孔との位置を調整し、交差する２本の大径ワイヤを互いに接触させて保持すれば、一方の大径ワイヤで他方の大径ワイヤを押さえ付けることができ、ばたつきをより効果的に防止することが可能となる。
【００１５】
上記目的を達成するために、本発明の壁面緑化装置は、上述した本発明のワイヤ配設用金具を用いた壁面緑化装置であって、前記壁面に直接又は間接的に複数の前記ワイヤ配設用金具を所定間隔をあけて固定し、各ワイヤ配設用金具の前記ワイヤ挿通環に前記第１ワイヤを挿通し、複数本の前記第１ワイヤを前記壁面の縦又は横方向に配設し、各ワイヤ配設用金具の前記ワイヤ挿通孔に前記第２ワイヤを挿通し、複数本の前記第２ワイヤを前記壁面の横又は縦方向に配設し、前記第１及び第２ワイヤに植物を定着させるための育成ネットを取り付け、前記植物を植えたプランター部を配設した構成としてある。
【００１６】
また、上記目的を達成するために、本発明の壁面緑化方法は、上述した本発明のワイヤ配設用金具を用いた壁面緑化方法であって、前記壁面に直接又は間接的に複数の前記ワイヤ配設用金具を所定間隔をあけて固定する工程と、各ワイヤ配設用金具のワイヤ挿通環に前記第１ワイヤを挿通し、複数本の前記第１ワイヤを前記壁面の縦又は横方向に配設する工程と、各ワイヤ配設用金具の前記ワイヤ挿通孔に前記第２ワイヤを挿通し、複数本の前記第２ワイヤを前記壁面の横又は縦方向に配設する工程と、前記第１及び第２ワイヤに植物を定着させるための育成ネットを取り付ける工程と、前記植物を植えたプランター部を配設する工程と、を含むようにしてある。
【００１７】
このような本発明の壁面緑化装置又は壁面緑化方法によれば、上述した本発明のワイヤ配設用金具と同様に、壁面に配設した複数本の大径ワイヤ全体のばたつきを効果的に防止することができ、広面積の壁面緑化を図ることが可能となる。
【００１８】
また、壁面に緊張状態で配設した複数本の大径ワイヤは、プランター等の重量物を吊り下げることが可能なフレームを構成し、従来のアングルを組んだフレーム枠の代替物となる。この結果、従来のアングルを組んだフレーム枠と比較して、複数本の大径ワイヤを壁面に配設するだけで容易に施工することができる。さらに、大径ワイヤの直径は、従来のアングルの幅よりもはるかに細く目立たないので、緑化した壁面の見栄えも良好となる。
【発明の効果】
【００１９】
本発明のワイヤ配設用金具、これを用いた壁面緑化装置及び壁面緑化方法によれば、大径ワイヤのばたつきを効果的に防止することができるとともに、従来のアングルと比較して容易に施工することが可能であり、緑化した壁面の見栄えを良好とすることができる。
【発明を実施するための最良の形態】
【００２０】
以下、本発明の一実施形態に係るワイヤ配設用金具、これを用いた壁面緑化装置及び壁面緑化方法について、図面を参照しつつ説明する。
【００２１】
＜ワイヤ配設用金具の実施形態＞
まず、本発明のワイヤ配設用金具の実施形態について図１〜図３を参照しつつ説明する。図１は本発明の一実施形態に係るワイヤ配設用金具を示す斜視図である。また、図２は上記ワイヤ配設用金具によって２本のワイヤの交差部を保持した状態を示すものであり、同図（ａ）は側面図、同図（ｂ）は平面図である。さらに、図３は上記ワイヤ配設用金具に挿通した２本のワイヤの各端部の固定状態を示す平面図である。
【００２２】
図１及び図２において、本実施形態のワイヤ配設用金具１は、比較的に大径の第１及び第２ワイヤ４１，４２を壁面に交差状態で配設するためのものであり、主として、金属製プレートからなる基部１０の上面中央に、同じく金属製プレートからなるワイヤ保持部２０を溶接した構成となっている。なお、第１及び第２ワイヤ４１，４２は、共に金属製撚り線の外側全体をビニル管で被覆した構成となっている。
【００２３】
本実施形態では、基部１０を長方形状とすることで壁面への取付安定性を向上させている。また、基部１０を壁面に取り付けたときに、ワイヤ保持部２０の基部１０と反対側の端面が壁面から突出した状態となるので、ワイヤ保持部２０の基部１０と反対側の端面を安全な弧状にカットしてある。これにより、本ワイヤ配設用金具１の施工時や施工後に、ワイヤ保持部２０のエッジで怪我をするといった事故を防止している。
【００２４】
基部１０及びワイヤ保持部２０を構成する金属製プレートの金属材料は、特に限定されるものではないが、例えば、スチール製プレートに錆防止のための亜鉛メッキを施したものを用いることができる。また、金属製プレートの肉厚は、本ワイヤ配設用金具１の用途に必要な強度及び耐久性を満たす厚さにする必要がある。ワイヤ配設用金具１を後述する壁面緑化装置及び方法に使用する場合には、厚さ約１２ｍｍ程度のスチール製プレートを用いれば、第１及び第２ワイヤ４１，４２のテンションや、これら第１及び第２ワイヤ４１，４２に懸架された他部材の荷重に十分な強度及び耐久性を得ることができる。コストが問題にならないのであれば、十分な強度及び耐久性に加えて軽量な金属材料を用いてもよい。
【００２５】
基部１０の両端には、アンカーボルト３０，３０を挿通するための一対のボルト挿通孔１１，１１が設けてある。本ワイヤ配設用金具１は、各ボルト挿通孔１１にそれぞれ挿通した２本のアンカーボルト３０，３０を壁面に直接又は間接的に打設することにより、この壁面に固定される。
【００２６】
一方、ワイヤ保持部２０の基部１０側には、所定間隔をあけて一対の取付孔２１ａ，２１ａが設けてあり、各取付孔２１ａにはワイヤ挿通環２１，２１が回動自在に取り付けてある。各ワイヤ挿通環２１は、金属製丸棒材を曲げて継ぎ目を溶接した環状体である。各ワイヤ挿通環２１は、これらに挿通される第１ワイヤ４１のテンションや他部材の荷重を受けて容易に変形しない金属材料及び直径とする必要がある。なお、ワイヤ挿通環２１の形状は図面に示す楕円形や円形に限定されるものではなく、例えば、略四角形などの種々の形状に変更することが可能である。
【００２７】
また、ワイヤ保持部２０における各取付孔２１ａの間にはワイヤ挿通孔２２が設けてある。このワイヤ挿通孔２２には、第２ワイヤ４２が挿通される。一対のワイヤ挿通環２１，２１に挿通された第１ワイヤ４１と、ワイヤ挿通孔２２に挿通された第２ワイヤ４２とは、壁面上で互いに交差した状態で保持される。
【００２８】
ここで、本実施形態では、本ワイヤ配設用金具１の一使用例として、基部１０の長手方向を壁面に対して縦方向に固定した場合について説明している（後述する図４の符号Ｓ１参照）。この場合、ワイヤ保持部２０の板面が壁面に対して縦向きとなり、各ワイヤ挿通環２１の内径が縦並び、ワイヤ挿通孔２２が横向きに開口する。この結果、縦並びの各ワイヤ挿通環２１には、縦方向に配設される第１ワイヤ４１が挿通されるとともに、横向きに開口するワイヤ挿通孔２２には、横方向に配設される第２ワイヤ４２が挿通される。
【００２９】
これにより、縦方向の第１ワイヤ４１と横方向の第２ワイヤ４２とが、互いに交差した状態で保持され、特に、第１ワイヤ４１が、ワイヤ保持部２０の板面に沿って各ワイヤ挿通環２１に安定的に保持される。また、第１ワイヤ４１を第２ワイヤ４２よりも先に各ワイヤ挿通環２１に挿通した場合は、第１ワイヤ４１の上に第２ワイヤ４２が重なった状態で交差し、先に挿通した第１ワイヤ４１が、後に挿通した第２ワイヤ４２に押さえ付けられることになる。このような作用が相俟って、本ワイヤ配設用金具１によれば、第１及び第２ワイヤ４１，４２のばたつきをより効果的に防止することが可能となる。
【００３０】
また、図１及び図２は、第１及び第２ワイヤ４１，４２の交差部（図４の符号Ｐ参照）における本ワイヤ配設用金具１の状態を示すものであるが、第１及び第２ワイヤ４１，４２の端部（図４の符号Ｑ参照）における本ワイヤ配設用金具１の状態を図３に示す。同図において、各ワイヤ挿通環２１に挿通した第１ワイヤ４１の端部を縦方向に折り返し、第１ワイヤ４１が重複した部分を複数のワイヤクリップ５０で締結固定してある。同様に、ワイヤ挿通孔２２に挿通した第２ワイヤ４２の端部を横方向に折り返し、第２ワイヤ４２が重複した部分を複数のワイヤクリップ５０で締結固定してある。このようなワイヤクリップ５０の締結固定によって、第１及び第２ワイヤ４１，４２のテンションを維持している。
【００３１】
＜壁面緑化装置の実施形態＞
次に、上述した本ワイヤ配設用金具１を用いた壁面緑化装置の一実施形態について、図４及び図５を参照しつつ説明する。
【００３２】
図４は本発明の一実施形態に係る壁面緑化装置を施工した建物の壁面を示す正面図である。なお、図４は本壁面緑化装置２の構成と、後述する本壁面緑化方法の各工程Ｓ１〜Ｓ５とを同時に示すものであり、各工程Ｓ１〜Ｓ５の順番で段階的に本壁面緑化装置２の構成要素を建物１００の壁面１１０に設置する流れを記載している。実際は、壁面１１０の全体が工程Ｓ５に示す状態となる。
【００３３】
同図において、本実施形態に係る壁面緑化装置２は、ワイヤ配設用金具１と、第１及び第２ワイヤ４１，４２と、壁面１１０全体を覆う育成ネット６０と、植物８０を育成するためのプランター部７０とを備えた構成となっている。
【００３４】
＜＜ワイヤ配設用金具、第１及び第２ワイヤ＞＞
本壁面緑化装置２では、壁面１１０の縦横方向に複数のワイヤ配設用金具１，１，１…を等間隔で固定してある。ワイヤ配設用金具１、第１及び第２ワイヤ４１，４２については上述のとおりであり、ここでの詳細な説明は省略する。
【００３５】
＜＜育成ネット＞＞
育成ネット６０は、植物８０の茎及び葉を定着させるためのものである。育成ネット６０の材質としては、熱による伸縮が少なく、長年の使用により劣化しないものが好ましく、例えば、ポリエステル繊維や樹脂によって形成することができる。また、軽量化の観点から、ネットの編み目を妥当な大きさとし、縦糸部材及び横糸部材を必要最低限の本数にするとよい。
【００３６】
このような育成ネット６０は、例えば、隣り合う２本の第１ワイヤ４１，４１の間隔で一枚とし、壁面１１０が図４に示す面積ならば、合計５枚の育成ネット６０で壁面１１０を覆うこととしてもよい。この場合、育成ネット６０の少なくとも四辺は、第１及び第２ワイヤ４１，４２に取り付ける。育成ネット６０の取付構造として、例えば、育成ネット６０の四辺に、所定の間隔で複数のアイレット金具（図示せず）を設け、これらアイレット金具に図示しない紐を通して、第１及び第２ワイヤ４１，４２に結び付けて張設することができる。また、育成ネット６０の四辺を袋状に折り返し、この袋状部分に第１及び第２ワイヤ４１，４２を通して取り付けてもよい。
【００３７】
＜＜プランター部＞＞
図５は上記壁面緑化装置を構成するプランター部を示すものであり、同図（ａ）は斜視図、同図（ｂ）は側面断面図である。同図において、プランター部７０は、容器本体７１の内部に植物８０を育成するための後述の手段７２〜７７を収容した構成となっている。
【００３８】
同図（ａ），（ｂ）に示すように、容器本体７１は、合成繊維にゴムを含浸した耐水シートにより形成された断面略Ｕ字状の長手方向に延びる袋状部材である。本実施形態では、容器本体７１を耐水シートからなる袋状部材としたことでプランター部の大幅な軽量化を図り、第２ワイヤ４２が負担する荷重を軽減している。
【００３９】
この容器本体７１の背面上縁には、金属製のフック７１ａが図示しないボルト等によって取り付けてあり、このフック７１ａを横方向の第２ワイヤ４２に掛けることにより、プランター部材７０を第２ワイヤ４２に懸架している。なお、プランター部材７０を第２ワイヤ４２に懸架するための手段は、フック７１ａに限定されるものではなく、例えば、容器本体７１の背面上縁を袋状に折り返し、この袋状部分に第２ワイヤ４２を挿通する構成、又は容器本体７１の背面上縁に多数のアイレット金具を設け、これらアイレット金具に紐を通して第２ワイヤに結び付ける構成などとしてもよい。
【００４０】
好ましくは、容器本体７１の内側に、軽量な合成樹脂又は金属からなる図示しないフレームを取り付けて、柔軟な容器本体７１を所定の容器形状に維持する構成としてもよい。また、容器本体７１の外側を、軽量な化粧板等からなる図示しない外装部材で覆うことにより、容器本体７１の外観を建物１００にマッチするデザインに装飾してもよい。
【００４１】
同図（ｂ）に示すように、容器本体７１の内面には、ビニールシート等の簡易な断熱シート７２を介在させてあり、容器本体７２の内外の熱伝達を阻止している。これにより、容器本体７１内の温度を、外気と比較して夏は低温、冬は高温とすることができ、植物８０の根を育成するのに良好な温度環境を形成している。
【００４２】
さらに、容器本体７１の断熱シート７２の内側には、上から順に、主培養土７３、フィルタ部材７４、粒状部材７５を収納した育成枠７６及び台座枠７７を、互いに積層した状態で収容してある。
【００４３】
主培養土７３は、植物８０を栽培するために好適な肥料、腐葉土、石灰などを一定の割合で混ぜ合わせた土である。主培養土７３の配合は特に限定されず、天然又は人工のいずれの土を用いることもできる。
【００４４】
フィルタ部材７４は、主培養土７３と粒状部材７５とが混合しないように区画し、多量の雨水が容器本体７１内に流れ込んだ場合などに、粒状部材７５の浮き上がり、流出を防止するためのものである。このようなフィルタ部材７４として、例えば、主培養土７３及び粒状部材７５の通過を阻止しつつ、透水性を有する不織布又は織布を用いることができる。
【００４５】
粒状部材７５は、主培養土７３を底上げしてプランター部７０の軽量化を図るためのものであり、非水溶性であって、少なくとも主培養土７３よりも、単位面積あたりの重量が軽い材料、例えば、発泡スチロール粒からなっている。主培養土７３に植えた植物８０の根は、その成長とともにフィルタ部材７４を通過し、粒状部材７５に到達する。粒状部材７５は、植物８０の根の四方への伸長を妨げることなく、良好な育成環境を形成する。
【００４６】
このような粒状部材７５は、四角形状の育成枠７６内に収納してある。育成枠７６は、外衝や主培養土７３の重さに耐え得るある程度の強度を有し、耐食性にも優れた合成樹脂製としてある。この育成枠７６の底壁には、粒状部材７５よりも直径の小さい透孔７６ａが多数穿設してある。これら透孔７６ａによって、主培養土７３、フィルタ部材７４及び粒状部材７５を通過した水が、その下の台座枠７７へと供給される。なお、台座枠７７にも粒状部材７５を収容する場合は、育成枠７６の透孔７６ａの直径を粒状部材７５より大きくしてもよい。
【００４７】
台座枠７７は、育成枠７６と同寸法の四角形状となっており、その中央には、育成枠７６の底壁を支持する断面略Ｃ型の支柱７７ａが立設してある。このような台座枠７７は、その内部に育成枠７６の透孔７６ａを通過した水を蓄え、保水層７７ｂを形成する。この保水層７７ｂに蓄えられた水は、直接又は蒸発して植物８０の根の育成に寄与する。
【００４８】
なお、図示していないが、育成枠７６と台座枠７７とは、容器本体７１の内部の長手方向に複数並べて配設してあり、容器本体７１の容積のほぼ下半分を占めている。
【００４９】
ここで、本実施形態では、容器本体７１に所定の許容保水量が設定してあり、容器本体７１における許容保水量の水位Ｗに相当する位置に排水口（ドレンパイプ）７８を設けた構成となっている。この排水口７８は、容器本体７１及び断熱シート７２を貫通して、粒状部材７５を収容した育成枠７６の内部に連通している。
【００５０】
この排水口７８から、容器本体７１の許容保水量を上回る余分な水が排出されるので、容易に許容保水量を維持することが可能となり、極めて簡単な構成で植物８０の根腐れを防止することができる。
【００５１】
＜壁面緑化方法の実施形態＞
次に、本発明に係る壁面緑化方法の一実施形態について図４を参照しつつ説明する。
【００５２】
図４において、まず、第１の工程Ｓ１として、建物１００の壁面１１０に複数のワイヤ配設用金具１，１，１…を縦横方向に所定間隔をあけて固定する。この場合、ワイヤ配設用金具１は、基板１０（図１参照）の長手方向を縦向き又は横向きのいずれに固定してもよい。例えば、壁面１１０が図４に示すようなフラット面の場合は問題ないが、ワイヤ配設用金具１の固定の障害となる凹凸部や障害物が壁面１１０にある場合には、固定スペースに応じてワイヤ配設用金具１を縦向き又は横向きにする。また、各ワイヤ配設用金具１の所定間隔も、図４に示すような均一間隔に限らず、壁面１１０の構造に応じて適宜決定する。
【００５３】
次いで、第２の工程Ｓ２として、複数本の第１及び第２ワイヤ４１，４２を壁面１１０の縦横方向に配設する。第１ワイヤ４１の配設手順としては、縦に並んで壁面１１０に固定した複数のワイヤ配設用金具１の各ワイヤ挿通環２１（図１参照）に第１ワイヤ４１を挿通し、この第１ワイヤ４１の一端部を縦方向に折り返し、複数のワイヤクリップ５０で締結固定する（図３参照）。そして、テンションをかけた状態で第１ワイヤ４１の他端部を同様に折り返し、複数のワイヤクリップ５０で締結固定する。
【００５４】
これに引き続き、第２ワイヤ４２の配設手順としては、横に並んで壁面１１０に固定した複数のワイヤ配設用金具１の各ワイヤ挿通孔２２（図１参照）に第２ワイヤ４２を挿通し、この第２ワイヤ４２の一端部を横方向に折り返し、複数のワイヤクリップ５０で締結固定する（図３参照）。そして、テンションをかけた状態で第２ワイヤ４２の他端部を同様に折り返し、複数のワイヤクリップ５０で締結固定する。
【００５５】
次いで、第３の工程Ｓ３として、壁面１１０に配設した第１及び第２ワイヤ４１，４２に植物８０を定着させるための育成ネット６０を取り付ける。例えば、育成ネット６０の四辺に設けた図示しないアイレット金具に紐を通して、第１及び第２ワイヤ４１，４２に結び付けて張設する。
【００５６】
なお、育成ネット６０の四辺を折り返して袋状とした場合は、この袋状部分にあらかじめ第１及び第２ワイヤ４１，４２を通してから、これら第１及び第２ワイヤ４１，４２を壁面１１０に配設することになる。
【００５７】
次いで、第４の工程Ｓ４として、壁面１１０の横方向に配設した各第２ワイヤ４２に、フック７１ａを掛けて複数のプランター部７０を配設する。ここで、本実施形態では、短期間で壁面１１０を緑化するために、建物１００の各階の窓ごとにそれぞれプランター部７０を配設している。これにより、第５の工程Ｓ５において、各プランター部７０に植えた植物８０がそれぞれ各階の窓を覆うことで、壁面１１０全体が短期間で緑化される。
【００５８】
なお、壁面１１０の緑化に用いる植物８０として、例えば、茎自体、巻き鬚、刺、鉤、吸盤、根等によって、伸長した茎を育成ネット６０に定着させる蔦、朝顔、藤、薔薇などの蔓植物を用いるとよい。蔓植物は、比較的成長が早いので短期間のうちに茎及び葉で壁面１１０を覆って緑化することができる。茎及び葉によって覆われた壁面１１０が直射日光や降雨等から保護されることにより、その劣化が軽減されるとともに、建物１００内の温度上昇を軽減することができる。
【００５９】
＜作用効果＞
以上のように、本実施形態のワイヤ配設用金具１によれば、２本の大径ワイヤ（第１及び第２ワイヤ４１，４２）を互いに交差した状態で安定して保持することができ、壁面１１０に配設された複数本の大径ワイヤ全体のばたつきを効果的に防止することが可能となる。この結果、複数本の大径ワイヤを用いて広面積の壁面緑化を図ることができる。
【００６０】
特に、基部１０及びワイヤ保持部２０を共に金属製プレートとし、各ワイヤ挿通環２１を金属製棒材とした場合は、本ワイヤ配設用金具１が簡単かつ頑丈な構造となり、複数本の大径ワイヤを緊張状態で配設した場合のテンションに十分耐え得る強度を確保することができる。また、各ワイヤ挿通環２１とワイヤ挿通孔２２との位置を調整し、交差する２本の大径ワイヤを互いに接触させて保持すれば、一方の大径ワイヤで他方の大径ワイヤを押さえ付けることができ、ばたつきをより効果的に防止することが可能となる。
【００６１】
また、本実施形態の壁面緑化装置及び壁面緑化方法によれば、壁面１１０に緊張状態で配設した複数本の大径ワイヤが、プランター７０等の重量物を吊り下げることが可能なフレームを構成し、従来のアングルを組んだフレーム枠の代替物となる。この結果、従来のアングルを組んだフレーム枠と比較して、複数本の大径ワイヤを壁面１１０に配設するだけで容易に施工することができる。さらに、大径ワイヤの直径は、従来のアングルの幅よりもはるかに細く目立たないので、緑化した壁面１１０の見栄えも良好となる。
【００６２】
＜その他の変更例＞
本発明のワイヤ配設用金具、これを用いた壁面緑化装置及び壁面緑化方法は、上述した実施形態に限定されるものではない。例えば、本発明のワイヤ配設用金具の用途は、上記実施形態のような壁面緑化に限定されるものではなく、大径ワイヤを交差状に配設する用途に広く用いることができる。
【００６３】
また、本発明の壁面緑化装置は、本ワイヤ配設用金具、縦横２本の大径ワイヤ、育成ネット、プランター部及び植物を構成要素とするが、これら以外の追加の構成要素を含んでもよい。なお、プランター部の設置方法は、大径ワイヤへの懸架に限定されるものではない。壁面の上部、中間部又は下部に懸架したり、載置したりして設けてもよい。例えば、プランター部を屋上の縁に懸架し、壁面中間部の段差部に載置し、地上に載置してもよいし、壁面に設けた棚に載置してもよい。
【００６４】
さらに、本発明の壁面緑化装置は、本ワイヤ配設用金具の設置工程、大径ワイヤの配設工程、育成ネットの配設工程、プランター部の配設工程が含まれていれば、各工程の順序は限定されない。また、各工程が同時ないし並行して行われる場合も含まれる。これら以外の工程を追加してもよい。
【図面の簡単な説明】
【００６５】
【図１】本発明の一実施形態に係るワイヤ配設用金具を示す斜視図である。
【図２】上記ワイヤ配設用金具によって２本のワイヤの交差部を保持した状態を示すものであり、同図（ａ）は側面図、同図（ｂ）は平面図である。
【図３】上記ワイヤ配設用金具に挿通した２本のワイヤの各端部の固定状態を示す平面図である。
【図４】本発明の一実施形態に係る壁面緑化装置を施工した建物の壁面を示す正面図である。
【図５】上記壁面緑化装置を構成するプランター部を示すものであり、同図（ａ）は斜視図、同図（ｂ）は側面断面図である。
【符号の説明】
【００６６】
１    ワイヤ配設用金具
２    壁面緑化装置
１０    基部
１１    ボルト挿通孔
２０    ワイヤ保持部
２１    ワイヤ挿通環
２１ａ  取付孔
２２    ワイヤ挿通孔
３０    アンカーボルト
４１    第１ワイヤ
４２    第２ワイヤ
５０    ワイヤクリップ
６０    育成ネット
７０    プランター部
７１    容器
７１ａ    ワイヤ挿通部
７２    断熱シート
７３    主培養土
７４    フィルタ部材
７５    粒状部材
７６    育成枠
７６ａ    透孔
７７    台座
７７ａ    支柱
７７ｂ    保水層
８０    植物
１００    建物
１１０    壁面
Ｗ    水位
【図１】
2010090578.tif 000003
【図２】
2010090578.tif 000004
【図３】
2010090578.tif 000005
【図４】
2010090578.tif 000006
【図５】
2010090578.tif 000007